(57)【要約】【課題】振出時の全長を調整し得る玉網の柄を低コストで提供する。【解決手段】この玉網の柄の柄部２は、最も手元側に位置する先細りテーパの施された第１筒状体１１と、第１筒状体１１の手元側端部内周面に装着された軸方向に於いて内径が変化しない略筒状体であり、軸方向に貫くように螺旋状に連続してねじ溝が形成された雌ねじ部材２０と、第１筒状体１１の先端側に振出形式で連結され、手元側端部に他の部分より一段太径化し且つ軸方向に於いて外径が変化せず，雌ねじ部材２０に先端側から螺着可能なねじ溝が外周面に形成されて雄ねじ部となっている太径部分１２ａを有する第２筒状体１２と、雌ねじ部材２０の手元側から螺着可能な尻栓４とを備える。【選択図】      図２
2004305075.tif 000002
【特許請求の範囲】
【請求項１】
複数の筒状体を振出形式で連結してなる玉網の柄であって、
最も手元側に位置する先細りテーパの施された第１筒状体と、
前記第１筒状体の手元側端部内周面に装着された軸方向に於いて内径が変化しない略筒状体であり、軸方向に貫くように螺旋状に連続してねじ溝が形成された雌ねじ部材と、
前記第１筒状体の先端側に振出形式で連結され、手元側端部に他の部分より一段太径化し且つ軸方向に於いて外径が変化せず，前記雌ねじ部材に螺着可能なねじ溝が外周面に形成されて雄ねじ部となっている太径部分を有する第２筒状体と、
前記雌ねじ部材の手元側から螺着可能な尻栓と、
を備える玉網の柄。
【請求項２】
前記雌ねじ部材の先端側端部内周面は先端側ほど大径化するテーパ面となっている、請求項１に記載の玉網の柄。
【請求項３】
前記第２筒状体の太径部分は、その手元側の周面の一部が前記雄ねじ部となっている、請求項１又は２に記載の玉網の柄。
【請求項４】
前記尻栓は頭部と挿入部とからなり、前記挿入部の外周面に前記雌ねじ部材に螺着するためのねじ溝が形成されており、
前記挿入部の先端側端面には周方向に回動自在に回転部材が装着されている、請求項１〜３の何れかに記載の玉網の柄。
【発明の詳細な説明】
【０００１】
【発明の属する技術分野】
本発明は魚釣りに用いる玉網の柄に関する。
【０００２】
【従来の技術】
魚釣りを行う際に、釣竿の仕掛けに係った魚を引き上げるために玉網が用いられる。玉網は、環状の枠部と、枠部に固定される袋状の網と、枠部に連結された柄とを有している。この柄は、複数の先細りテーパの施された筒状体を順次振出形式に連結してなるものであり、順次手元側の筒状体内に先端側の筒状体が収納可能となっている（例えば、一般的な玉網の構造を示すものとして、特許文献１参照）。
【０００３】
このような玉網では、収納時は柄を構成する筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部として先端の網に魚をすくい入れる。
このような、従来の玉網の柄は一定数の筒状体を連結してなる柄部を有するものであり、各筒状体を長く引き出して一本の筒状体とした場合の全体の長さも決まっている。しかし、釣りを行う際に必要となる玉網の柄の長さは必ずしも一定ではない。即ち、魚をすくい入れる為に引き延ばして差し出す玉網の柄の長さは、釣り場の状況によって様々である。そこで、玉網の柄を引き延ばした状態での長さを調整して、用いることができる玉網の柄が求められている。
【０００４】
そこで、玉網の柄を構成する筒状体において、最も手元側に位置する第１筒状体と、その先端側に連結される第２筒状体とを、第２筒状体が第１筒状体内に収納された際に相互に固定し、玉網の柄を引き延ばした状態での長さを調整できるようにすることが考えられる。
例えば、釣竿に於いては、一般に、最も手元側に位置する元竿の手元側端部に尻栓が装着される（特許文献２参照）。そこで、この釣竿に関する技術を応用して、第１筒状体の手元側に装着される尻栓に嵌合雌部を設けて、第２筒状体の手元側端部を嵌着させるような手法が考えられる（例えば、特許文献３参照）。第２筒状体を第１筒状体内に収納した際に、第２筒状体を尻栓に嵌着させて、その余の筒状体のみを引き延ばすのである。各筒状体を分解する場合には、尻栓を外して、第１筒状体の手元側から各種筒状体を取り外すのである。
【０００５】
【特許文献１】
特開２００２−２４７９３１号公報
【０００６】
【特許文献２】
実開平３−１２９０６１号公報
【０００７】
【特許文献３】
特開２００１−０２８９７３号公報
【０００８】
【発明が解決しようとする課題】
しかし、玉網の柄と釣竿とは利用態様が大きく異なる。即ち、玉網の柄は筒状体同士を引き出した際に相互に連結することが予定されておらず、筒状体同士の嵌着径を精密にあわせる必要性が乏しく、コスト面からみて、精密な径あわせはできる限り避けたい。また、玉網の柄は使用時に勢いよく先端側に各筒状体を振り出して用いるので、第１筒状体と第２筒状体とを収納時に相互に固定するためには、大きな連結固定力が要求され、嵌着による手法では十分とはいえない。
【０００９】
そこで、コストを抑えながら管状体同士の大きな連結固定力を発揮できる連結構造を有する玉網の柄の開発が求められている。
本発明の課題は、振出時の全長を調整し得る玉網の柄を低コストで提供することにある。
【００１０】
【課題を解決するための手段】
本発明に係る玉網の柄は、複数の筒状体を振出形式で連結してなる玉網の柄である。そして、最も手元側に位置する先細りテーパの施された第１筒状体と、第１筒状体の手元側端部内周面に装着された軸方向に於いて内径が変化しない略筒状体であり、軸方向に貫くように螺旋状に連続してねじ溝が形成された雌ねじ部材と、第１筒状体の先端側に振出形式で連結され、手元側端部に他の部分より一段太径化し且つ軸方向に於いて外径が変化せず，雌ねじ部材に螺着可能なねじ溝が外周面に形成されて雄ねじ部となっている太径部分を有する第２筒状体と、雌ねじ部材の手元側から螺着可能な尻栓とを備えている。
【００１１】
この玉網の柄は、最も先端側に位置する筒状体の先端に網枠を連結して用いられる。先端側に位置する筒状体から順次手元側に位置する各筒状体内に振出形式に各筒状体が収納されて、第２筒状体へ収納され、最終的に最も手元側に位置する第１筒状体へ収納されてコンパクトな状態となる。そして、釣竿の仕掛けにかかった魚を釣り上げる際には、網側を水面に向かって勢いよく差し出し、順次の筒状体を引き出して長い一本の柄部として先端の網に魚をすくい入れる。例えば、第２筒状体であれば、その手元側端部の太径部分がストッパーとなって、第２筒状体の先端側への抜け止めとなっている。
【００１２】
そして、釣人は、必要に応じて、玉網の柄の引き出し長さを以下のように調整することができる。まず、第１筒状体と第２筒状体とを相互にフリーな状態としておけば、各筒状体が全て先端側に飛び出して全筒状体の長さとなる。一方、第２筒状体が第１筒状体内に収納された状態で両者を相互に螺着させて固定しておけば、第２筒状体の軸方向長さ分だけ全筒状体の長さより短くなった引き出し長さとなる。具体的には、第２筒状体を第１筒状体内に収納した状態で、第２筒状体の太径部分を第１筒状体の手元側の雌ねじ部材に螺着させる。雌ねじ部材の手元側には尻栓も螺着しており、第２筒状体の手元側へのストッパーとなっている。
【００１３】
なお、第２筒状体を第１筒状体より取り外す際には、まず、尻栓を雌ねじ部材から取り外し、第２筒状体の太径部分を雌ねじ部材に螺着させ、さらに、第２筒状体を回転させて順次雌ねじ部材内を手元側に送り、そのまま、手元側に挿通させてしまえば足りる。旧来の尻栓装着用の雌ねじ部材を利用することで、部品数の増加もなく、低コストに第１筒状体と第２筒状体との相互の収納時における相互の十分な連結固定が可能となる。
【００１４】
また、本発明の別の玉網の柄では、雌ねじ部材の先端側端部内周面は先端側ほど大径化するテーパ面となっている。第２筒状体の太径部分が収納時にテーパ面によって円滑にセンタリングされ、太径部分と雌ねじ部材との螺着がスムーズになる。
また、本発明の別の玉網では、第２筒状体の太径部分は、その手元側の周面の一部が雄ねじ部となっている。雌ねじ部材への螺着に有効な手元側の周面の一部のみに雄ねじ部を形成することで、コスト減を図る。
【００１５】
さらに、本発明の他の玉網では、尻栓は頭部と挿入部とからなり、挿入部の外周面に雌ねじ部材に螺着するためのねじ溝が形成されている。そして、挿入部の先端側端面には周方向に回動自在に回転部材が装着されている。
太径部分を雌ねじ部材に螺着させ太径部分の手元側端部が尻栓の先端側端面に当接した場合に、回転部材が回動することで、尻栓の不当な緩みを防止する。
【００１６】
【発明の実施の形態】
［第１実施形態］
本発明の第１実施形態について図面を参照しつつ説明する。
本発明の第１実施形態を採用した玉網は、図１に示すように、環状の枠に網が取り付けられた網枠部１とこれに連結される柄とからなる。この玉網の柄は、複数の筒状体からなる柄部２と、枠部２の先端と網枠部１とを連結するための口栓３とを有している。
【００１７】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。この枠部分の一部に連結部が形成されて、この連結部が口栓３の先端側に脱着自在に取り付けられている。例えば、連結部と口栓３とは相互に螺着するようにするが、両者の取り付け方法は特に限定されるものではない。
【００１８】
柄部２は、複数の筒状体、例えば、７〜１２本程度の筒状体が順次振出形式に連結されて構成されている。この実施形態では７本の筒状体（最も手元側に位置する第１筒状体１１〜第７筒状体１７）を順次連結する場合を例示する。各筒状体１１〜１７は、それぞれ炭素繊維等の強化繊維に合成樹脂を含浸させた繊維強化樹脂を芯材に巻回して焼成して製造する先細り筒状部材である。これらはいわゆる振出形式で連結されており、順次手元側の筒状体内に収納可能である。即ち、これらの第２筒状体１２〜第７筒状体１７の手元側端部はそれぞれ他の部分に比較して太径（図示せず）となっている。この太径の部分は、順次各筒状体を引きだして引き延ばした際に、各筒状体が穂先側に飛び出さないためのストッパーとなっている。なお、隣接する相互の筒状体同士において、各筒状体を先端側に引きだした際に、１つの筒状体の上述の太径の部分が、その手元側に隣接する筒状体の先端側内周面に嵌着するようにしてもよい。
【００１９】
最も先端側に位置する小径の第７筒状体１７の先端側端部には口栓３が連結されている。この口栓３は、例えば、ＡＢＳやポリカーボネイトのような硬質合成樹脂，ウレタンゴムやスチレンゴム等のゴム，若しくはステンレスなどの金属材からなる。第７筒状体１７の穂先側端部が口栓３の手元側の端面に挿入された状態で螺着若しくは接着されている。なお、この口栓３の外周面は第２筒状体１２の穂先側端部が嵌着できるように設定しておけば、各筒状体を収納した際の栓として口栓３が作用することもできる。
【００２０】
続いて、第２筒状体１２と、第１筒状体１とについて詳細に説明する。
図２に示すように、第１筒状体１１は先細りテーパの施された筒状部材である。そして、その手元側端部には、パイプ状の雌ねじ部材２０が装着されている。雌ねじ部材２０は、手元側端部にフランジを有し、第１筒状体１１の手元側から第１筒状体１１内に挿入されて接着剤等で固定されている。その外径は第１筒状体１１のテーパにあわせて設定され、内径は軸方向において変化せず若しくは殆ど変化しない程度に設定されている。雌ねじ部材２０の内周面には軸方向に手元側端部から先端側端部まで連続してねじ溝が形成される。もっとも、図２に於いて示す実施形態のように、先端側端部の内周面は先端側ほど大径化するようなテーパ面としてもよく、このようなテーパ面を形成する場合には、このテーパ面にはねじ溝は形成されないことになる。この雌ねじ部材２０の軸方向長さは１０〜２０ｍｍ程度に設定される。
【００２１】
一方、第２筒状体１２も先細りテーパの施された筒状部材である。既に上で説明したように、この第２筒状体１２は第１筒状体１１内に収納され、第１筒状体１１の先端側に振り出される。第２筒状体１２の手元側端部は他の部分より一段太径化して太径部分１２ａとなっている。太径部分１２ａは、例えば、部分的にプリプレグシートを余分に積層して形成される。太径部分１２ａの外径は、第１筒状体１１の先端側端部の内径より大きく設定されており、第２筒状体１２が第１筒状体１１の先端側に抜け出ないようにするためのストッパーとなっている。また、この太径部分１２ａの外径は、上述の雌ねじ部材２０の内径に合致するように設定されている。即ち、軸方向において、雌ねじ部材２０の内径と同様に径が変化せず若しくは殆ど変化しない。そして、太径部分１２ａの軸方向における手元側半分程度の外周面にはねじ溝が形成されて雄ねじ部となっており、上述の雌ねじ部材２０に螺着可能となっている。
【００２２】
なお、大径部分１２ａの先端側のねじ溝が形成されていない部分は、図２に示すように、先端側ほど小径化するようなテーパ面としてもよい。また、大径部分１２ａの手元側端部（雄ねじ部の手元側）もまた、手元側ほど小径化するようなテーパ面を設けても良い。このようなテーパ面により、大径部分１２ａの雌ねじ部材２０対するセンタリングが円滑になる。
【００２３】
尻栓４は、第１筒状体１１の雌ねじ部材２０に手元側から螺着している。図３に詳しく示すように、尻栓４は、主として頭部２１と挿入部２２とからなる。頭部２１の外径は第１筒状体１１の手元側端部の外径に合致する。周面に滑り止め用の溝を複数形成してもよい。そして、この頭部２１には手元側端面から凹入する収納空間が形成されており、ここにカバーゴム２３がはめ込まれて固定されている。カバーゴム２３は尻栓４の手元側端面を保護するためのものである。
【００２４】
挿入部２２は第１筒状体１１の手元側端部から雌ねじ部材２０に挿入される部分であり、外周面に雌ねじ部材２０に螺合するためのねじ溝が形成されている。挿入部２２の軸方向長さは雌ねじ部材２０の軸方向長さの１／２〜１／３程度である。この挿入部２２にも先端側端面から収納空間が形成されており、回転パッキン２４が回動自在に先端側から装着されている。図３に詳しく示すように、この回動パッキン２４は先端側端面に複数の突起を有する円盤状の部材であり、手元側に向かって首と首に連続する鍔が形成される。この鍔が挿入部２２の収納空間内に挿入され、挿入部２２の先端側端部に形成されるフランジに係止されている。
【００２５】
このように、柄部２の最も先端側に位置する第７筒状体１７の先端の口栓３に網枠部１を連結した玉網では、先端側に位置する第７筒状体１７から順次手元側に位置する各筒状体内に振出形式に各筒状体が収納されて、第２筒状体１２へ収納され、さらに、最終的に最も手元側に位置する第１筒状体１１へ各筒状体が収納されてコンパクトな状態となる。そして、釣竿の仕掛けにかかった魚を釣り上げる際には、網枠部１の網を水面に向かって勢いよく差し出し、順次の筒状体を引き出して長い一本の柄部２として先端の網に魚をすくい入れる。
【００２６】
そして、釣人は、必要に応じて、玉網の柄部２の引き出し長さを以下のように調整することもできる。
まず、第１筒状体１１と第２筒状体１２とを相互にフリーな状態としておけば、各筒状体が全て先端側に飛び出して全筒状体の長さとなる。一方、第２筒状体１２が第１筒状体１１内に収納された状態で両者を相互に螺着させて固定しておけば、第２筒状体１２の軸方向長さ分だけ全筒状体の長さより短くなった引き出し長さとなる。具体的には、第２筒状体１２を第１筒状体１１内に収納した状態で、第２筒状体１２の太径部分１２ａを第１筒状体１１の手元側の雌ねじ部材２０に螺着させる（図２参照）。この際、雌ねじ部材２０の手元側には尻栓４も螺着しており、第２筒状体１２の手元側へのストッパーとなっている。また、仮に、第２筒状体１２を手元側に向かって深く螺着させた場合でも、第２筒状体１２の手元側端部は回転パッキン２４に当接し、回転パッキン２４が回動するので、尻栓４が不当に緩んで第１筒状体１１から外れてしまうようなこともない。
【００２７】
なお、各筒状体をそれぞれ分解し、第２筒状体１２を第１筒状体１１より取り外す際には、まず、尻栓４を雌ねじ部材２０から取り外し、第２筒状体１２の太径部分１２ａを雌ねじ部材２０に螺着させ、さらに、第２筒状体１２を回転させて順次雌ねじ部材２０内を手元側に送り、そのまま、手元側に挿通させてしまえば足りる（図４参照）。旧来の尻栓４を装着するため雌ねじ部材２０を利用することで、部品数の増加もなく、低コストに第１筒状体１１と第２筒状体１２との相互の収納時における相互の十分な連結固定が可能となる。
【００２８】
［他の実施形態］
上記実施形態に代えて、図５に示すように、第１筒状体３１の手元側端部を内径・外径共に他の部分より一段大きく設定し、この大径化によって生じたクリアランスに雌ねじ部材２０を収納してもよい。この場合、雌ねじ部材２０の内径は、例えば、その先端側端部において第１筒状体３１の内周面に合致するようなテーパ面としてもよい。このようなテーパ面を形成することで、第２筒状体３２のセンタリングが円滑になる。
【００２９】
また、上記実施形態では、尻栓４に対して回転パッキンを配置しているが、この回転パッキンの配置は任意である。もっとも、第２筒状体３２の当接用に、ゴム系の板部材などを尻栓４の先端側端面に配置するのが好ましい。
【００３０】
【発明の効果】
本発明の玉網は、簡易な構造で柄部全体の長さを任意に調整しながら用いることが可能である。そして、部品数の増加もなく低コスト化も可能である。
【図面の簡単な説明】
【図１】本発明の第１実施形態を採用した玉網の全体図。
【図２】図１の玉網の柄部の第１筒状体１１と第２筒状体１２とを示した図。
【図３】尻栓４の断面図。
【図４】第２筒状体１２を第１筒状体１１から取り外す状態を示した図。
【図５】他の実施形態を採用した玉網の柄の図２に相当する図。
【符号の説明】
１  網枠部
２  柄部
３  口栓
４  尻栓
１１〜１７  第１〜第７筒状体
２０  雌ねじ部材
【図１】
2004305075.tif 000003
【図２】
2004305075.tif 000004
【図３】
2004305075.tif 000005
【図４】
2004305075.tif 000006
【図５】
2004305075.tif 000007